(57)【要約】【課題】  撮影者が扱い易いファインダ装置及びカメラを提供する。【解決手段】ファインダ装置は、光学系が設けられたケースと、前記光学系に挿入されて被写体からの光束を遮断する遮光位置と、光束を遮らない退避位置との間で直線的に移動可能な遮光板と、遮光板を遮光位置と退避位置との間で移動させるための駆動部材と、を備え、駆動部材は、遮光板が存在する平面に対して垂直な軸を中心として回動する回動部材と、遮光板に係合し、回動部の回動に応じて該遮光板を移動させる係合部とを含み、遮光板の移動する方向と平行で、且つ、軸を通る線を想定したとき、回動部材を回動したときの係合部の円弧軌道が線と交差する位置に、遮光板の移動を規制するストッパが設けられている。【選択図】  図５
2014077813.tif 000002
【特許請求の範囲】
【請求項１】
被写体を光学的に観察するための光学系を有するファインダ装置であって、
前記光学系が設けられたケースと、
前記光学系に挿入されて被写体からの光束を遮断する遮光位置と、前記光束を遮らない退避位置との間で直線的に移動可能な遮光板と、
前記遮光板を前記遮光位置と前記退避位置との間で移動させるための駆動部材と、を備え、
前記駆動部材は、前記遮光板が存在する平面に対して垂直な軸を中心として回動する回動部材と、前記遮光板に係合し、前記回動部の回動に応じて該遮光板を移動させる係合部とを含み、
前記遮光板の移動する方向と平行で、且つ、前記軸を通る線を想定したとき、前記回動部材を回動したときの前記係合部の円弧軌道が前記線と交差する位置に、前記遮光板の移動を規制するストッパが設けられているファインダ装置。
【請求項２】
請求項１に記載のファインダ装置であって、
前記直線的な移動が可能な状態に、前記遮光板を前記ケース側との間で保持する保持板を備え、
前記ストッパが、前記保持板に設けられているファインダ装置。
【請求項３】
請求項２に記載のファインダ装置であって、
前記保持板には前記回動部材を回動したときの前記係合部の円弧軌道に沿って形成され、前記係合部を導く溝が形成され、前記溝における、前記係合部がスライドする方向における両方の端部に前記ストッパが設けられているファインダ装置。
【請求項４】
請求項３に記載のファインダ装置であって、
前記溝は、前記軸を中心とする円弧形状であって、その中心角が１８０度より大きいファインダ装置。
【請求項５】
請求項１から４のいずれか１項に記載のファインダ装置であって、
前記回動部材の重心が、前記軸上に位置するファインダ装置。
【請求項６】
請求項１から５のいずれか１項に記載のファインダ装置であって、
前記光学系の視野範囲とほぼ等価な範囲の画像を表示可能な表示部と、
前記表示部に表示された画像を前記光学系に導くためのビームスプリッタと、を備えるファインダ装置。
【請求項７】
請求項１から６のいずれか１項に記載のファインダ装置と、
前記光学系の視野範囲とほぼ等価な範囲の画像を撮像する撮像部と、を備えるカメラ。
【発明の詳細な説明】
【技術分野】
【０００１】
本発明は、ファインダ装置及びカメラに関する。
【背景技術】
【０００２】
デジタルスチルカメラやデジタルビデオカメラなどのカメラのファインダ装置として、被写体の光学像を観察する光学ビューファインダ（ＯＶＦ：Optical View Finder）と、被写体を撮像して得られた撮像画像を液晶ディスプレイに表示して、これを観察する電子ビューファインダ（ＥＶＦ：Electric View Finder）とを備えた、いわゆるハイブリッド型のファインダ装置が知られている（例えば、特許文献１参照）。
【０００３】
ハイブリッド型のファインダ装置においては、例えば、ＯＶＦとＥＶＦとが切り換えられ、一方の像が選択的に観察される。また、ＯＶＦによる被写体像にＥＶＦによる撮像画像が重畳されて観察される場合もある。
【０００４】
上記のファインダ装置には遮蔽板が設けられており、遮蔽板は、開状態とすることでＯＶＦに対する光の入射を許容し、遮蔽板を閉状態とすることで光を遮断するシャッタとして機能する。これにより、撮影者は、遮蔽板を開いてＯＶＦを利用して被写体を観察するとともに、遮蔽板を閉状態にしてＯＶＦに対する入射光を遮断することで、ＥＶＦによる撮像画像のみを観察することができる。
【先行技術文献】
【特許文献】
【０００５】
【特許文献１】特開平４−３０６７７号公報
【発明の概要】
【発明が解決しようとする課題】
【０００６】
遮光板を閉状態にしてＥＶＦの撮像画像のみを観察する際に、外部からの衝撃などに起因して、遮光板が開いてしまう場合がある。また、ファインダ装置の電源をＯＦＦにしている際にも、遮光板が開いてしまう場合がある。更に、遮光板を開状態にしてＯＶＦによる被写体像にＥＶＦによる撮像画像が重畳されて観察する場合に、外部からの衝撃などに起因して、遮光板が閉じてしまう場合がある。このように遮蔽板が意図せずに移動してしまうことは、撮影者にとって扱いづらい。
【０００７】
本発明は、撮影者が扱い易いファインダ装置及びカメラを提供することにある。
【課題を解決するための手段】
【０００８】
本発明は、被写体を光学的に観察するための光学系を有するファインダ装置であって、
前記光学系が設けられたケースと、
前記光学系に挿入されて被写体からの光束を遮断する遮光位置と、前記光束を遮らない退避位置との間で直線的に移動可能な遮光板と、
前記遮光板を前記遮光位置と前記退避位置との間で移動させるための駆動部材と、を備え、
前記駆動部材は、前記遮光板が存在する平面に対して垂直な軸を中心として回動する回動部材と、前記遮光板に係合し、前記回動部の回動に応じて該遮光板を移動させる係合部とを含み、
前記遮光板の移動する方向と平行で、かつ、前記軸を通る線を想定したとき、前記回動部材を回動したときの前記係合部の円弧軌道が前記線と交差する位置に、前記遮光板の移動を規制するストッパが設けられているファインダ装置である。
【０００９】
また、本発明は、上述のファインダ装置と、
前記光学系の視野範囲とほぼ等価な範囲の画像を撮像する撮像部と、を備えるカメラである。
【発明の効果】
【００１０】
本発明によれば、撮影者が扱い易いファインダ装置及びカメラを提供できる。
【図面の簡単な説明】
【００１１】
【図１】本発明の実施形態を説明するための、ファインダ装置及びカメラの一例を模式的に示すブロック図
【図２】図１のファインダ装置を分解して示す図
【図３】図１のファインダ装置の光学系を模式的に示す図
【図４】図１のファインダ装置の遮光板の動作を模式的に示す図
【図５】図１のファインダ装置の保持板を示す図
【図６】図１のファインダ装置のレバーを示す図
【発明を実施するための形態】
【００１２】
図１は、本発明の実施形態を説明するための、ファインダ装置及びカメラの一例を示す。
【００１３】
カメラ１は、撮像部２と、ファインダ装置３と、操作部４と、制御部５と、を備えている。
【００１４】
撮像部２は、ＣＣＤイメージセンサ１０と、このＣＣＤイメージセンサ１０の受光面に被写体の光学像を結像させる撮像光学系１１と、ＣＣＤイメージセンサ１０から出力される信号を処理して画像データを生成する信号処理回路１２と、信号処理回路１２によって生成された画像データを記憶する画像メモリ１３とで構成されている。
【００１５】
ファインダ装置３は、被写体を光学的に観察するための第１の光学系２０と、液晶ディスプレイ（ＬＣＤ：Liquid Crystal Display）２１と、ＬＣＤ２１に表示された画像を第１の光学系２０の光路に導く第２の光学系２２と、で構成されている。
【００１６】
第１の光学系２０は、対物レンズ３０と、ファインダの視度を調整するための視度調整レンズ３１と、接眼レンズ３２とで構成されている。また、第２の光学系２２は、ＬＣＤ２１の表示パネル２３に焦点を合わせるためのターゲットレンズ３３と、表示パネル２３に表示された画像を第１の光学系２０の光路に導くためのキューブ型のハーフミラー３４とで構成されている。第１の光学系２０によりＯＶＦが構成され、また、ＬＣＤ２１及び第２の光学系２２、並びに視度調整レンズ３１及び接眼レンズ３２によりＥＶＦが構成されている。
【００１７】
操作部４は、カメラ１の動作を指示し、また、各種の設定を行うためのものであって、例えば、撮像部２による撮像の指示や、ファインダ装置３におけるＯＶＦとＥＶＦとの切り替え若しく併用の設定がなされる。
【００１８】
制御部５は、操作部４における操作に応答して、カメラ１の各部を駆動し、設定を変更する。
【００１９】
図２は、ファインダ装置３を分解して示し、図３は、第１の光学系２０及び第２の光学系２２を示す。
【００２０】
ファインダ装置３は、第１の光学系２０、ＬＣＤ２１、及び第２の光学系２２が組み付けられるケース４０を有している。
【００２１】
第１の光学系２０を構成する対物レンズ３０、視度調整レンズ３１、及び接眼レンズ３２は、それらの光軸を互いに一致させた状態にケース４０に保持されている。図示の例において、第１の光学系２０の光軸Ｘはｘ軸方向に沿って配置される。
【００２２】
ケース４０には、第１の光学系２０の光軸と平行に延在する一対のガイド軸４１が設けられている。視度調整レンズ３１は、一対のガイド軸４１に支持されており、ケース４０の一方の側面部に設けられる視度調整ダイヤル７１の回転操作に連動して、一対のガイド軸４１に沿って前後移動される。それにより、ファインダの視度が調整される。
【００２３】
第２の光学系２２を構成するハーフミラー３４は、対物レンズ３０と視度調整レンズ３１との間に配置されて、ケース４０に保持されている。そして、第２の光学系２２を構成するターゲットレンズ３３は、第１の光学系２０の光軸Ｘと交差する方向（図示の例においては、ｘ方向に延びる第１の光学系２０の光軸Ｘに直交するｙ方向）からハーフミラー３４を臨む位置に配置されて、ケース４０に保持されている。第２の光学系２２の光軸Ｙは、ハーフミラー３４において第１の光学系２０の光軸Ｘに交差する。
【００２４】
ＬＣＤ２１は、第２の光学系２２の光軸Ｙの延長上に配置され、ケース４０には、ＬＣＤ２１を支持する支持部４２が設けられている。支持部４２は、光軸Ｙと直交する基準面を有しており、ＬＣＤ２１は、この基準面上において光軸Ｙに対する位置及び姿勢を調整可能に支持部４２に支持される。そして、支持部４２には保持部材４３が取付けられ、ＬＣＤ２１は、支持部４２の基準面と保持部材４３とによって挟まれて保持されている。
【００２５】
対物レンズ３０に入射した光は、第１の光学系２０の光軸Ｘに沿って進み、ハーフミラー３４及び視度調整レンズ３１を透過して、接眼レンズ３２から出射される。また、ＬＣＤ２１の表示パネル２３から出射された光は、第２の光学系２２の光軸Ｙに沿って進み、ターゲットレンズ３３を透過してハーフミラー３４に入射し、ハーフミラー３４によって第１の光学系２０の光軸Ｘに沿う方向に反射されて第１の光学系２０の光路内に導かれる。そして、視度調整レンズ３１を透過して、接眼レンズ３２から出射される。以上により、ＯＶＦによる光学像、及びＥＶＦによる画像が、接眼レンズ３２を覗く撮影者によって観察される。
【００２６】
なお、ハーフミラー３４の代わりに、他のビームスプリッタを適用することもできる。
【００２７】
ファインダ装置３は、対物レンズ３０への光の入射を遮るための遮光板５０と、対物レンズ３０を露呈させ、また隠蔽するように遮光板５０を移動させる駆動機構と、を更に有している。
【００２８】
対物レンズ３０を保持しているケース４０の前壁部４６には、所定の方向（図示の例ではｚ方向）に延在する一対のガイド４７が設けられており、遮光板５０は、これら一対のガイド４７の間で前壁部４６上に配置され、ガイド４７に沿ってｚ方向に直線的に移動可能に支持されている。前壁部４６には保持板５６が取り付けられ、遮光板５０は、直線的に移動可能に、この保持板５６と前壁部４６との間に挟まれて保持される。
【００２９】
すなわち、遮光板５０は、駆動機構によって、対物レンズ３０に入射する光束を遮断する遮光位置と、対物レンズ３０に入射する光束を遮らない退避位置との間で直線的に移動する。
【００３０】
駆動機構は、レバー５１と、レバー５１を回動させるためのモータ５２とで構成されている。レバー５１は、モータ５２に連結された回動軸５３と、回動軸５３から離間した位置に設けられた係合ピン５４とを有している。遮光板５０には、その移動方向と交差する方向（図示の例においてはｙ方向）に延在する長孔５５が形成されており、レバー５１の係合ピン５４は、長孔５５内において長孔５５の延在方向に移動可能に、長孔５５に係合している。
【００３１】
保持板５６には、窓５６ａと、溝５８とが形成されている。
【００３２】
窓５６ａは、対物レンズ３０に入射する光が通過する開口であって、図２のｘ方向視において略区形状である。窓５６ａは、遮光板５０が遮光位置にある場合には閉じた状態となり、また、遮光板５０が退避位置にある場合には開いた状態となる。
【００３３】
溝５８は、レバー５１を回動したときの係合ピン５４の円弧軌道に沿って略円弧状に形成されている。溝５８は、レバー５１が回動可能な範囲に相当する範囲に位置する。保持板５６は、後述するように、遮光位置及び退避位置にある遮光板５０が移動することを規制するストッパを含む。
【００３４】
図４を参照して、駆動機構及び遮光板５０の動作について説明する。
【００３５】
レバー５１の係合ピン５４が、回動軸５３よりも上に位置し、かつ、遮光板５０の長孔５５の一端（図示の例においては左端）に位置している状態で、遮光板５０は、その移動範囲における上側に位置しており、対物レンズ３０は、遮光板５０によって隠蔽されている（ＦＩＧ．４Ａ）。
【００３６】
モータ５２が駆動されてレバー５１が回動するのに伴って、レバー５１の係合ピン５４は、回動軸５３を中心とする円弧軌道Ｃ上を移動する。その際、係合ピン５４は、長孔５５内をその延在方向にスライド移動しながら降下し、これに係合する遮光板５０もまた降下する（ＦＩＧ．４Ｂ）。
【００３７】
レバー５１の係合ピン５４が、回動軸５３よりも下に位置し、かつ、遮光板５０の長孔５５の一端に位置している状態で、遮光板５０は、その移動範囲における下側に位置しており、対物レンズ３０は、完全に露呈している（ＦＩＧ．４Ｃ）。
【００３８】
以上の遮光板５０の昇降動作は、制御部５によって制御される。例えば、操作部４においてＯＶＦによる光学像を観察するモードが選択された場合に、制御部５は、モータ５２を駆動して遮光板５０を降下させる。それにより、対物レンズ３０が露呈して第１の光学系２０に光が入射し、光学像が観察可能となる。また、ＥＶＦによる表示画像のみを観察するモードが選択された場合に、制御部５は、モータ５２を駆動して遮光板５０を上昇させる。それにより、対物レンズ３０が隠蔽されて第１の光学系２０への光の入射が遮られ、表示画像のみが観察可能となる。
【００３９】
図５は、図１のファインダ装置３の保持板５６を示す。図５において、遮光板が直線的に移動する方向を矢印Ｓで示し、レバー５１の回転軸５３の軸中心を５３ｃとする。仮に、遮光板５０の移動する方向Ｓと平行で、かつ、軸５３ｃを通る線をＬとする。溝５８は、線Ｌと交差する位置にわたって形成されている。すなわち、溝５８に沿ってレバー５１の係合ピン５４がスライドする際に、その係合ピンの円弧軌道が線Ｌと交差する。溝５８において、線Ｌと交差する位置のそれぞれから端部まで延びている延長部５９がストッパとして機能する。
【００４０】
次にストッパの機能について説明する。
図５に示すように、遮光板５０が退避位置にある場合、係合ピン５４は、溝５８の一方の延長部５９に位置する。係合ピン５４は、延長部５９から線Ｌに重なる位置までの領域では、遮光板５０の移動する側とは反対側に移動する。すると、衝撃や振動などに起因して遮光板５０に矢印で示す方向Ｓの力がかかっても、係合ピン５４と溝５８の延長部５９とが係合することにより、遮光板５０が遮蔽位置側に移動してしまうことを防止できる。
【００４１】
溝５８は、軸中心５３ｃを中心とする円弧形状であり、その中心角が１８０度より大きい。
【００４２】
図５には示さないが、同様に、遮光板５０が遮蔽位置にある場合、係合ピン５４は、溝５８の他方の延長部５９に位置する。この場合でも同様に、係合ピン５４と溝５８の延長部５９とが係合することにより、遮光板５０が退避位置側に移動してしまうことを防止できる。
【００４３】
図６は、図１のファインダ装置３のレバー５１を示す。レバー５１は、軸中心５３ｃに対して垂直な平面において回動する長尺状の部材である。レバー５１の長尺方向の一方の端部５２ａに係合ピン５４が設けられている。長尺方向の他方の端部５２ｂは、一方の端部５２ａ側の重量に基づいて、レバー５１全体のバランスを調整するためのバランサーとしての機能を有する。レバー５１は、その重心が軸中心５３ｃの軸上に位置する。このため、レバー５１が自身の重量バランスの偏りによって、回動してしまうことを防止でき、また、駆動機構によってレバー５１を回動させる場合に、ガタつきなく安定して回転させることができる。
【００４４】
このファインダ装置３及びこのファインダ装置３を備えたカメラによれば、遮光板を閉状態にしてＥＶＦの撮像画像のみを観察する際に、外部からの衝撃などに起因して、遮光板が開いてしまうことを抑えられる。また、ファインダ装置の電源をＯＦＦにしている際に、遮光板が開いてしまうことを抑えることができる。更に、遮光板を開状態にしてＯＶＦによる被写体像にＥＶＦによる撮像画像が重畳されて観察する場合に、外部からの衝撃などに起因して、遮光板が閉じてしまうことを抑えることができる。したがって、撮影者は、遮蔽板が意図せずに移動してしまうことがないため、扱い易い。
【００４５】
次に変形例について説明する。
【００４６】
上述の構成では、保持板にストッパを設けたが、これに限定されない。ストッパは、保持板以外の部材に設けられていてもよい。
【００４７】
上述の構成では、レバーの係合ピンが溝に係合しているが、レバーの形状や、係合ピンはこれに限定されない。レバーは、遮光板５０が存在する平面に対して垂直な軸を中心として回動するものであれば、円盤状や、半円状などの他の形状を適用することができる。円盤状の回動部材を用いれば、回動部材の重心を軸上に位置させやすいため好ましい。回動部材をレバーとすれば、回動に必要なスペースを最小限にとどめることができる。
【００４８】
上述の構成では、遮光板５０は、被写体からの光束が対物レンズ３０に入射するのを遮断するように、対物レンズ３０よりも被写体側で第１の光学系２０に挿入されるが、遮光板の挿入位置はこれに限定されない。遮光板は、対物レンズ３０とハーフミラー３４との間で第１の光学系２０に挿入されてもよい。
【００４９】
本明細書は次の事項を開示する。
（１）  被写体を光学的に観察するための光学系を有するファインダ装置であって、
前記光学系が設けられたケースと、
前記光学系に挿入されて被写体からの光束を遮断する遮光位置と、前記光束を遮らない退避位置との間で直線的に移動可能な遮光板と、
前記遮光板を前記遮光位置と前記退避位置との間で移動させるための駆動部材と、を備え、
前記駆動部材は、前記遮光板が存在する平面に対して垂直な軸を中心として回動する回動部材と、前記遮光板に係合し、前記回動部の回動に応じて該遮光板を移動させる係合部とを含み、
前記遮光板の移動する方向と平行で、かつ、前記軸を通る線を想定したとき、前記回動部材を回動したときの前記係合部の円弧軌道が前記線と交差する位置に、前記遮光板の移動を規制するストッパが設けられているファインダ装置。
（２）  （１）に記載のファインダ装置であって、
前記直線的な移動が可能な状態に、前記遮光板を前記ケース側との間で保持する保持板を備え、
前記ストッパが、前記保持板に設けられているファインダ装置。
（３）  （２）に記載のファインダ装置であって、
前記保持板には前記回動部材を回動したときの前記係合部の円弧軌道に沿って形成され、前記係合部を導く溝が形成され、前記溝における、前記係合部がスライドする方向における両方の端部に前記ストッパが設けられているファインダ装置。
（４）  （３）に記載のファインダ装置であって、
前記溝は、前記軸を中心とする円弧形状であって、その中心角が１８０度より大きいファインダ装置。
（５）  （１）から（４）のいずれか１つに記載のファインダ装置であって、
前記回動部材の重心が、前記軸上に位置するファインダ装置。
（６）  （１）から（５）のいずれか１つに記載のファインダ装置であって、
前記光学系の視野範囲とほぼ等価な範囲の画像を表示可能な表示部と、
前記表示部に表示された画像を前記光学系に導くためのビームスプリッタと、を備えるファインダ装置。
（７）  （１）から（６）のいずれか１つに記載のファインダ装置と、
前記光学系の視野範囲とほぼ等価な範囲の画像を撮像する撮像部と、を備えるカメラ。
【符号の説明】
【００５０】
１    カメラ
２    撮像部
３    ファインダ装置
４    操作部
５    制御部
２０  第１の光学系
２１  液晶ディスプレイ（表示部）
２２  第２の光学系
３０  対物レンズ
３１  視度調整レンズ
３２  接眼レンズ
３３  ターゲットレンズ
３４  ハーフミラー
４０  ケース
５０  遮光板
５１  レバー
５２  モータ
５６  保持板
【図１】
2014077813.tif 000003
【図２】
2014077813.tif 000004
【図３】
2014077813.tif 000005
【図４】
2014077813.tif 000006
【図５】
2014077813.tif 000007
【図６】
2014077813.tif 000008